(57)【要約】【課題】撮影者の声を記録するか否かを簡便に選択でき、動画像の撮影における不便を解消する撮像装置を提供する。【解決手段】動画像を撮影する撮影部６と、撮影者との距離を測定する測距センサ１４と、装置本体の前面に設けられ前記動画像の撮影時に前方の音声を取得する前方マイク１２ａと、前記装置本体の背面に設けられ前記動画像の撮影時に後方の音声を取得する後方マイク１２ｂと、前記動画像の撮影中に前記測距センサによって測定された距離に応じ、前記後方マイクにより取得する音量を調整する音声調整部４とを備える。【選択図】  図１
2013165312.tif 000002
【特許請求の範囲】
【請求項１】
動画像を撮影する撮影部と、
撮影者との距離を測定する測距センサと、
装置本体の前面に設けられ前記動画像の撮影時に前方の音声を取得する前方マイクと、
前記装置本体の背面に設けられ前記動画像の撮影時に後方の音声を取得する後方マイクと、
前記動画像の撮影中に前記測距センサによって測定された距離に応じ、前記後方マイクにより取得する音量を調整する音声調整部と、
を備えることを特徴とする撮像装置。
【請求項２】
前記音声調整部は、前記測距センサによって測定された距離が所定距離内のとき、前記測定された距離が近いほど前記後方マイクにより取得する音量を大きくすることを特徴とする請求項１に記載の撮像装置。
【請求項３】
前記音声調整部は、前記測距センサによって測定された距離が所定距離を超えているとき、前記後方マイクによる後方の音声の取得を停止することを特徴とする請求項１または請求項２に記載の撮像装置。
【請求項４】
前記音声調整部は、更に前記前方マイクにより取得する音量の調整を行ない、
前記測距センサによって測定された距離が前記所定距離内のとき、前記音声調整部は、前記測定された距離が近いほど前記前方マイクにより取得する音量を小さくすることを特徴とする請求項１〜請求項３の何れか一項に記載の撮像装置。
【請求項５】
前記音声調整部は、録音音量の調整によって前記前方マイクにより取得する音量及び前記後方マイクにより取得する音量を調整することを特徴とする請求項１〜請求項４の何れか一項に記載の撮像装置。
【請求項６】
前記音声調整部は、録音感度の調整によって前記前方マイクにより取得する音量及び前記後方マイクにより取得する音量を調整することを特徴とする請求項１〜請求項４の何れか一項に記載の撮像装置。
【請求項７】
前記音声調整部は、前記測距センサによって測定された距離が所定距離を超えたときに前記後方マイクにより音声を取得することを特徴とする請求項１に記載の撮像装置。
【発明の詳細な説明】
【技術分野】
【０００１】
本発明は、動画像を音声と共に記録可能な撮像装置に関するものである。
【背景技術】
【０００２】
従来、動画像の撮影において、マイク等の音声入力部によって録音した音声のノイズ除去を行なう撮像装置が知られている（例えば、特許文献１参照）。この撮像装置においては、装置本体に装着されたレンズに関するレンズ駆動ノイズのノイズプロファイルを取得し、取得したノイズプロファイルを用いて動画像撮影で録音された音声からノイズを削除する処理を行なっている。
【先行技術文献】
【特許文献】
【０００３】
【特許文献１】特開２０１１−１２４７１４号公報
【発明の概要】
【発明が解決しようとする課題】
【０００４】
しかしながら、上述した特許文献１に記載されている撮像装置においては、録音した音声からレンズ駆動に関するノイズを削除することはできるが、録音した音声から撮影者が発した声等を削除することができない。そのため撮影者が自分の声を録音したくない場合には、撮影中に沈黙を守る必要が有り不便であった。
【０００５】
本発明の目的は、撮影者の声を記録するか否かを簡便に選択でき、動画像の撮影における不便を解消する撮像装置を提供することである。
【課題を解決するための手段】
【０００６】
本発明の撮像装置は、動画像を撮影する撮影部と、撮影者との距離を測定する測距センサと、装置本体の前面に設けられ前記動画像の撮影時に前方の音声を取得する前方マイクと、前記装置本体の背面に設けられ前記動画像の撮影時に後方の音声を取得する後方マイクと、前記動画像の撮影中に前記測距センサによって測定された距離に応じ、前記後方マイクにより取得する音量を調整する音声調整部とを備えることを特徴とする。
【発明の効果】
【０００７】
本発明の撮像装置によれば、撮影者の声を記録するか否かを簡便に選択でき、動画像の撮影における不便を解消することができる。
【図面の簡単な説明】
【０００８】
【図１】実施の形態に係るデジタルカメラのシステム構成を示すブロック図である。
【図２】撮影者の顔がデジタルカメラから離れた状態を示す図である。
【図３】撮影者の顔がデジタルカメラに近づいた状態を示す図である。
【発明を実施するための形態】
【０００９】
以下、図面を参照して、本発明の実施の形態に係る撮像装置としてのデジタルカメラについて説明する。図１は、実施の形態に係るデジタルカメラのシステム構成を示すブロック図である。図１に示すように、デジタルカメラ２は、マイクロプロセッサ等により構成され、デジタルカメラ２の各部を統括的に制御するＣＰＵ４を備えている。ＣＰＵ４には、撮像素子６、表示部８、操作部１０、マイク部１２、測距センサ１４が接続され、更に記録媒体１６が図示しないカードスロットを介して装着されている。
【００１０】
撮像素子６は、ＣＣＤまたはＣＭＯＳ等により構成され、図示しない撮影レンズを介した被写体光を撮像して撮像信号をＣＰＵ４に対して出力する。表示部８は、デジタルカメラ２の背面部に配置されるＬＣＤ等により構成され、撮像素子６からの撮像信号に基づくスルー画像、記録媒体１６に記憶されている動画像データに基づく動画像、及び撮影に関する情報等を表示する。
【００１１】
操作部１０は、電源をオン／オフする電源スイッチ、動画像の撮影開始を指示するレリーズボタン、表示部８に撮影に関する情報やメニュー等を表示させるメニューボタン、メニュー項目等の選択や様々な設定時に操作される十字キー、メニュー項目等の選択や様々な設定に対する確定操作を行なうためのＯＫボタン等を含んで構成されている。
【００１２】
マイク部１２は、デジタルカメラ２の前面部に配置され前方からの音声を取得する指向性を持った前方マイク１２ａと、デジタルカメラ２の背面部に配置され後方からの音声を取得する指向性を持った後方マイク１２ｂとを有している。測距センサ１４は、デジタルカメラ２の背面部に配置されデジタルカメラ２の後方に向けて赤外線又は音波等を射出して撮影者との距離を測定するセンサである。
【００１３】
記録媒体１６は、可搬性を有する記録媒体であり、例えば、ＣＦカード、ＳＤカード、スマートメディア等が用いられる。記録媒体１６には、撮影された動画像の動画像データ及び動画像の撮影時に取得された音声の音声データが記録される。
【００１４】
次に実施の形態に係るデジタルカメラ２における動画像撮影中の録音処理について説明する。撮影者は動画像の撮影を行なうためにデジタルカメラ２の電源スイッチをオンにすると、デジタルカメラ２のＣＰＵ４は、撮像素子６からの撮像信号に基づくスルー画像を表示部８に表示する。
【００１５】
撮影者によりレリーズボタンが半押しされると、ＣＰＵ４はスルー画像内の主要被写体に対して合焦させる合焦処理を実行する。またＣＰＵ４は、測距センサ１４による撮影者との距離を測定する。ここで撮影者は、表示部８に表示される画面を見ながら動画像の撮影を行なうため、デジタルカメラ２の後方に撮影者の顔が位置する。従って実際には測距センサ１４は撮影者の顔までの距離を測定する。
【００１６】
そしてＣＰＵ４は、測距センサ１４により測定された距離に応じ、前方マイク１２ａ及び後方マイク１２ｂの各録音音量の調整や音声の取得を停止する等の制御を行なう。例えば、図２の矢印で示すデジタルカメラ２と撮影者との距離が第１の所定距離（例えば５０ｃｍとする。）を超えている場合、ＣＰＵ４は前方マイク１２ａの録音音量を最大にして、後方マイク１２ｂによる音声の取得を停止するようにマイク部１２を制御する。
【００１７】
また、図３で示すように、図２で示した状態と比べて撮影者がデジタルカメラ２に顔を近づけていて、デジタルカメラ２と撮影者との距離が第１の所定距離よりも短い第２の所定距離（例えば１０ｃｍとする。）未満となっている場合、ＣＰＵ４は前方マイク１２ａによる音声の取得を停止して、後方マイク１２ｂの録音音量を最大にするようにマイク部１２を制御する。
【００１８】
測距センサ１４により測定された距離が第１の所定距離以下で、かつ第２の所定距離以上の範囲にある場合、ＣＰＵ４は測定された距離が近いほど、後方マイク１２ｂにより取得する音量が大きくなり、前方マイク１２ａにより取得する音量が小さくなるように、マイク部１２を制御する。例えば、測定された距離が第１の所定距離と第２の所定距離との中間距離（３０ｃｍ）である場合には、ＣＰＵ４は前方マイク１２ａの録音音量と後方マイク１２ｂの録音音量とが等しくなるようにマイク部１２を制御する。
【００１９】
このように動画像撮影において、前方マイク１２ａにより取得する音量と後方マイク１２ｂにより取得する音量との比率は、デジタルカメラ２と撮影者との距離によって変更され、デジタルカメラ２と撮影者との距離が第１の所定距離を超えている状態では１００：０、デジタルカメラ２と撮影者との距離が第１の所定距離と第２の所定距離との中間距離になった状態では５０：５０、デジタルカメラ２と撮影者との距離が第２の所定距離未満の状態では０：１００等となる。
【００２０】
そして撮影者によりレリーズボタンが全押しされるとＣＰＵ４は、撮像素子６による動画像の撮像を開始すると共に、マイク部１２を介した音声の取得、即ち前方マイク１２ａを介した前方の音声の取得と、後方マイク１２ｂを介した後方の音声の取得を開始する。またＣＰＵ４は、再度レリーズボタンが押下されたとき、撮像素子６からの撮像信号に基づく動画像データと、マイク部１２により取得された音声の音声データとを関連付けて記録媒体１６に記録し、動画像の撮影を終了する。
【００２１】
このデジタルカメラ２を用いて例えば小学校の運動会で動画像の撮影を行なう場合には、デジタルカメラ２と父親の顔が第１の所定距離を超えて離れていれば、父親が動画像を撮影しながら子供の出番を待っているときに「まだかな」「あとどれくらい？」と呟いても、音声は記録されない。しかし、子供が登場した場面で父親がデジタルカメラに顔を近づけながら動画像を撮影しているときに、「太郎の出番がきました！」「がんばれ」等と喋った音声は記録される。
【００２２】
上述した実施の形態によれば、撮影者が自身の声を記録するか否かを簡便に選択でき、動画像の撮影中の不便を解消することができる。
【００２３】
また、デジタルカメラ２と撮影者との距離が近いほど前方マイク１２ａにより取得する音量を小さくするので、撮影者の声が周囲の雑音等によって聞え難くなってしまうのを防止することができる。
【００２４】
また、上述した実施の形態においては、デジタルカメラ２と撮影者との距離が、第１の所定距離を超えたときに後方マイク１２ｂによる音声の取得を停止しているが、デジタルカメラ２と撮影者との距離が第１の所定距離を超えたときに後方マイク１２ｂにより音声の取得を開始してもよい。このようにしても撮影者の声を記録するか否かを簡便に選択でき、動画像の撮影中の不便を解消することができる。
【００２５】
また、上述した実施の形態においては、録音音量の調整によって前方マイク１２ａ及び後方マイク１２ｂにより取得する音量を調整しているが、録音感度の調整によって前方マイク１２ａ及び後方マイク１２ｂにより取得する音量を調整してもよい。
【００２６】
また、上述した実施の形態においては、後方マイク１２ｂによる音声の取得を停止するための第１の所定距離を５０ｃｍとしているが、第１の所定距離は５０ｃｍに限らず撮影者が自由に設定できるものとすれば、撮影者にとって更に利便性が向上する。
【００２７】
また、上述した実施の形態においては、前方マイク１２ａによる音声の取得を停止するための第２の所定距離を１０ｃｍとしているが、第２の所定距離は１０ｃｍに限らず撮影者が自由に設定できるものとすれば、撮影者にとって更に利便性が向上する。
【符号の説明】
【００２８】
２…デジタルカメラ、４…ＣＰＵ、６…撮像素子、８…表示部、１０…操作部、１２…マイク部、１２ａ…前方マイク、１２ｂ…後方マイク、１４…測距センサ、１６…記録媒体。
【図１】
2013165312.tif 000003
【図２】
2013165312.tif 000004
【図３】
2013165312.tif 000005